(57)【要約】【課題】ホルダにおいて発光素子を取り付ける面以外の面から露出する導電性部材の露出部を保護する。【解決手段】照明装置１は、発光素子７と、発光素子７を取り付ける導電性部材１０と、導電性部材１０を保持するホルダ２と、を備える。導電性部材１０は、ホルダ２の正面２１ａに配置され、発光素子７が接続される電極パッド１２と、ホルダ２の正面２１ａとは異なる上面２１ｂ、右側面２１ｃ、左側面２１ｄから露出した露出部１１ａ〜露出部１１ｆと、を有する。ホルダ２は、露出部１１ａ〜露出部１１ｆを保護する保護部を有する。【選択図】図８
2019021582.tif 000002
【特許請求の範囲】
【請求項１】
発光素子と、
前記発光素子を取り付ける導電性部材と、
前記導電性部材を保持するホルダと、を備え、
前記導電性部材は、
前記ホルダの第１の面に配置され、前記発光素子が接続される電極パッドと、
前記ホルダの前記第１の面とは異なる第２の面から露出した露出部と、を有し、
前記ホルダは、前記露出部を保護する保護部を有することを特徴とする照明装置。
【請求項２】
前記保護部は、前記ホルダの前記第２の面の最外周部であり、
前記露出部は、前記保護部よりも内側に配置される、
ことを特徴とする請求項１に記載の照明装置。
【請求項３】
前記保護部は、前記ホルダの前記第２の面に形成された凸部であり、
前記凸部は、前記露出部よりも外側に突出している、
ことを特徴とする請求項１に記載の照明装置。
【請求項４】
前記導電性部材は、前記ホルダの前記第２の面に複数の前記露出部を有し、
前記凸部は、前記複数の前記露出部の間に配置される、
ことを特徴とする請求項３に記載の照明装置。
【請求項５】
複数の前記凸部を有し、
前記複数の前記凸部は、前記露出部を挟む位置に設けられる、
ことを特徴とする請求項３に記載の照明装置。
【請求項６】
前記保護部は、前記ホルダの前記第２の面に形成された凹部であり、
前記露出部は、前記凹部に配置される、
ことを特徴とする請求項１に記載の照明装置。
【請求項７】
前記凹部に隣接する段差部は、前記ホルダの前記第２の面の最外周部よりも内側であり、且つ前記露出部よりも外側にある、
ことを特徴とする請求項６に記載の照明装置。
【請求項８】
前記ホルダに取り付けられ、前記発光素子と前記露出部をカバーするカバー部材と、を備える、
ことを特徴とする請求項１に記載の照明装置。
【請求項９】
前記保護部は、前記露出部を被覆する絶縁膜である、
ことを特徴とする請求項１に記載の照明装置。
【請求項１０】
前記第２の面は、前記第１の面を正面とした場合の左側面及び右側面を含み、
前記左側面に形成される前記露出部と、前記右側面に形成される前記露出部は、左右対称の位置に配される、
ことを特徴とする請求項１に記載の照明装置。
【請求項１１】
前記第２の面は、前記第１の面を正面とした場合の上面を含み、
前記露出部は、前記上面に形成される、
ことを特徴とする請求項１に記載の照明装置。
【請求項１２】
前記ホルダに取り付けられ、前記発光素子をカバーするカバー部材を備え、
前記ホルダは、
前記第２の面に前記カバー部材と係合する係合部と、
前記導電性部材の接続端子を収容する端子収容部と、を有し、
前記露出部は、前記係合部と、前記端子収容部との間に配置される、
ことを特徴とする請求項１に記載の照明装置。
【発明の詳細な説明】
【技術分野】
【０００１】
本発明は、照明装置に関する。
【背景技術】
【０００２】
車両内装用の照明として、例えばＬＥＤ等の発光素子を備える照明装置が用いられることがある。例えば、特許文献１には、ケースに、発光素子が実装された回路と、回路の接続端子を取り付けた上で、ケースにレンズが設けられたカバーを嵌め込んで構成した照明装置が開示されている。
【先行技術文献】
【特許文献】
【０００３】
【特許文献１】特開２０１０−２０５７８７号公報
【発明の概要】
【発明が解決しようとする課題】
【０００４】
しかしながら、上記の従来技術では、ケースの側面から回路の連結部を切断した露出部が露出している。そして、カバーを嵌め込む前において、露出部が他の金属部材と接触すると短絡が起こり、発光素子を損傷してしまうことがある。
【０００５】
本発明は、上記の課題に鑑みてなされたものであり、その目的は、ホルダにおいて発光素子を取り付ける面以外の面から露出する導電性部材の露出部を保護することができる照明装置を提供することにある。
【課題を解決するための手段】
【０００６】
上記課題は、本発明に係る照明装置によれば、発光素子と、前記発光素子を取り付ける導電性部材と、前記導電性部材を保持するホルダと、を備え、前記導電性部材は、前記ホルダの第１の面に配置され、前記発光素子が接続される電極パッドと、前記ホルダの前記第１の面とは異なる第２の面から露出した露出部と、を有し、前記ホルダは、前記露出部を保護する保護部を有することにより解決される。
上記の照明装置によれば、ホルダにおいて発光素子を取り付ける面以外の面から露出する導電性部材の露出部を保護することができる。これにより、導電性部材の露出部が他の金属部材と接触して短絡を引き起こすことを防止できる。
【０００７】
上記の照明装置において、前記保護部は、前記ホルダの前記第２の面の最外周部であり、前記露出部は、前記保護部よりも内側に配置されると好適である。
こうすることで、露出部を最外周部より内側に配置したことで、露出部を最外周部により保護することができる。すなわち、最外周部が露出部よりも先に他の金属部材等と接触するため、露出部に他の金属部材等が接触することを防止できる。
【０００８】
上記の照明装置において、前記保護部は、前記ホルダの前記第２の面に形成された凸部であり、前記凸部は、前記露出部よりも外側に突出していると好適である。
こうすることで、露出部を凸部により保護することができる。すなわち、凸部が露出部よりも先に他の金属部材等と接触することで、露出部に他の金属部材等が接触することを防止できる。
【０００９】
上記の照明装置において、前記導電性部材は、前記ホルダの前記第２の面に複数の前記露出部を有し、前記凸部は、前記複数の前記露出部の間に配置されると好適である。
こうすることで、１つの凸部により複数の露出部を保護することができる。これにより、ホルダの第２の面に設ける凸部の数を低減することができる。また、ホルダの第２の面の形状を簡単な構造にできる。そして、構造が簡単であるため、設計、製造の点で有利となる。
【００１０】
上記の照明装置において、複数の前記凸部を有し、前記複数の前記凸部は、前記露出部を挟む位置に設けられると好適である。
こうすることで、露出部の両側からの部材の衝突を抑制することができる。これにより、露出部をより確実に保護することができる。
【００１１】
上記の照明装置において、前記保護部は、前記ホルダの前記第２の面に形成された凹部であり、前記露出部は、前記凹部に配置されると好適である。
このように、ホルダの第２の面における凹部に露出部を配置することで、露出部を第２の面よりも内側に配置することができる。これにより、露出部を凹部により保護することができる。そのため、ホルダの形状を小型化しやすくなる。
【００１２】
上記の照明装置において、前記凹部に隣接する段差部は、前記ホルダの前記第２の面の最外周部よりも内側であり、且つ前記露出部よりも外側にあると好適である。
このように、露出部の周囲に段差を設けることで、露出部に外部から部材が衝突しにくくなる。また、凹部の周囲の強度を高めることができる。
【００１３】
上記の照明装置において、前記ホルダに取り付けられ、前記発光素子と前記露出部をカバーするカバー部材と、を備えると好適である。
こうすることで、露出部を保護部とカバー部材の両者で保護することができる。また、ホルダにカバー部材を取り付けている場合と、取り付けていない場合の両方において、露出部を保護することができる。
【００１４】
上記の照明装置において、前記保護部は、前記露出部を被覆する絶縁膜であると好適である。
こうすることで、露出部の周囲に凹凸を設けない場合にも露出部を保護できる。これにより、ホルダの形状を簡単な構造にできる。
【００１５】
上記の照明装置において、前記第２の面は、前記第１の面を正面とした場合の左側面及び右側面を含み、前記左側面に形成される前記露出部と、前記右側面に形成される前記露出部は、左右対称の位置に配されると好適である。
こうすることで、左右対象の構造により露出部を保護することができる。構造を簡単にすることができるため、設計、製造の点で有利となる。
【００１６】
上記の照明装置において、前記第２の面は、前記第１の面を正面とした場合の上面を含み、前記露出部は、前記上面に形成されると好適である。
こうすることで、上面に形成される露出部を保護することができる。
【００１７】
上記の照明装置において、前記ホルダに取り付けられ、前記発光素子をカバーするカバー部材を備え、前記ホルダは、前記第２の面に前記カバー部材と係合する係合部と、前記導電性部材の接続端子を収容する端子収容部と、を有し、前記露出部は、前記係合部と、前記端子収容部との間に配置されると好適である。
こうすることで、係合部と端子収容部により露出部を更に保護することができる。
【発明の効果】
【００１８】
本発明によれば、ホルダにおいて発光素子を取り付ける面以外の面から露出する導電性部材の露出部を保護することができる。
本発明によれば、露出部を最外周部により保護することができる。
本発明によれば、露出部を凸部により保護することができる。
本発明によれば、ホルダの第２の面に設ける凸部の数を低減することができる。
本発明によれば、露出部の両側からの部材の衝突を抑制することができる。
本発明によれば、露出部を凹部により保護することができる。
本発明によれば、露出部の周囲に段差を設けることで、露出部に外部から部材が衝突しにくくなる。
本発明によれば、ホルダにカバー部材を取り付けている場合と、取り付けていない場合の両方において、露出部を保護することができる。
本発明によれば、露出部の周囲に凹凸を設けない場合にも露出部を保護できる。
本発明によれば、左右対象の構造により露出部を保護することができる。
本発明によれば、上面に形成される露出部を保護することができる。
本発明によれば、係合部と端子収容部により露出部を更に保護することができる。
【図面の簡単な説明】
【００１９】
【図１】第１実施形態に係る照明装置の斜視図である。
【図２】第１実施形態に係る照明装置の正面図である。
【図３】第１実施形態に係る照明装置の背面図である。
【図４】第１実施形態に係る照明装置の上面図である。
【図５】第１実施形態に係る照明装置の右側面図である。
【図６】ホルダの斜視図である。
【図７】導電性部材に連結されたホルダの正面図である。
【図８】導電性部材を切断したホルダの正面図である。
【図９】ホルダの背面図である。
【図１０】ホルダの上面図である。
【図１１】ホルダの右側面図である。
【図１２】照明装置を搭載したドアライニングを示す図である。
【図１３】第２実施形態に係る照明装置の正面図である。
【図１４】第２実施形態に係る照明装置の背面図である。
【図１５】第２実施形態に係る照明装置の上面図である。
【図１６】第３実施形態に係る照明装置の正面図である。
【図１７】第３実施形態に係る照明装置の背面図である。
【図１８】第４実施形態に係る照明装置の正面図である。
【図１９】第４実施形態に係る照明装置の背面図である。
【図２０】第５実施形態に係る照明装置の背面図である。
【図２１】露出部に絶縁膜を成膜したホルダの正面図である。
【発明を実施するための形態】
【００２０】
以下、図１乃至図２１を参照しながら、本発明の実施の形態（以下、本実施形態）に係る照明装置について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００２１】
［第１実施形態］
図１乃至図１２を参照しながら、本発明の第１実施形態に係る照明装置１について説明する。
【００２２】
まず、図１乃至図１２の各図の概要について説明する。
図１は、第１実施形態に係る照明装置１の斜視図である。
図２は、第１実施形態に係る照明装置１の正面図である。
図３は、第１実施形態に係る照明装置１の背面図である。
図４は、第１実施形態に係る照明装置１の上面図である。
図５は、第１実施形態に係る照明装置１の右側面図である。
図６は、ホルダ２の斜視図である。
図７は、導電性部材１０に連結されたホルダ２の正面図である。
図８は、導電性部材１０を切断したホルダ２の正面図である。
図９は、ホルダ２の背面図である。
図１０は、ホルダ２の上面図である。
図１１は、ホルダ２の右側面図である。
図１２は、照明装置１を搭載したドアライニングＤを示す図である。
なお、以下の説明において、「上下」、「左右」、「前後」の各方向は、カバー部材５が上側になるようにし、レンズ部５２が手前側を向いた状態で照明装置１を見た場合の「上下」、「左右」、「前後」の各方向に一致する。
【００２３】
図１乃至図５に示されるように、照明装置１は、主な構成として、本体部３とカバー部材５を備える。照明装置１は、カバー部材５を本体部３に取り付けたものである。以下、図６乃至図１１を参照しながら、本体部３の構成について説明し、その後カバー部材５とその取り付け手順について説明する。
【００２４】
図６乃至図１１に示すように、本体部３は、主な構成としてホルダ２、発光素子７及び導電性部材１０を備える。
ホルダ２は、発光素子７が取り付けられる実装部２ａと、導電性部材１０の一部として構成された接続端子が収容される端子収容部２ｂとを有する。
【００２５】
上記の接続端子は、上下方向に延出し、外部の電源回路や制御回路に接続される端子である。そして、端子収容部２ｂは、中空形状をなし、その内部に導電性部材１０の接続端子を収容している。
【００２６】
なお、導電性部材１０は、少なくとも一部がホルダ２にインサートされた状態で保持される電気回路である。そして、導電性部材１０の一部がホルダ２から露出した電極パッド１２となり、電極パッド１２には発光素子７、抵抗素子３５等の電子素子が取り付けられる。
ここで、導電性部材１０は、型成形により形成されることとしてもよいし、打ち抜き成形と曲げ加工等により形成されることとしてもよい。
【００２７】
そして、ホルダ２は、導電性部材１０をインサートした状態で樹脂材料を射出成形することで（すなわちインサート成形により）形成される。樹脂材料には、例えば液晶ポリマー、ＰＢＴ（ポリブチレンテレフタレート）、ＰＰＳ（ポリフェニレンサルファイド）等を用いることとしてよい。
【００２８】
図７には、導電性部材１０をインサートした状態で射出成形により形成された状態のホルダ２を示している。なお、図７では省略しているが、導電性部材１０には複数のホルダ２が接続されている。そして、導電性部材１０とホルダ２とを接続する接続部１１を切断することにより、個々のホルダ２に分割される。
【００２９】
この際、接続部１１の切断部はホルダ２から外部に露出することとなる。本実施形態では、ホルダ２の上面２１ｂ、右側面２１ｃ、左側面２１ｄのそれぞれから導電性部材１０の一部が露出する。
具体的には、ホルダ２からは、それぞれ導電性部材１０の一部である露出部１１ａ、露出部１１ｂ、露出部１１ｃ、露出部１１ｄ、露出部１１ｅ及び露出部１１ｆが露出する。
【００３０】
上記の露出部は、ホルダ２の正面２１ａ（第１の面に相当）とは異なる第２の面（上面２１ｂ、右側面２１ｃ、左側面２１ｄ）から露出している。
より具体的には、露出部１１ａ及び露出部１１ｂは、上面２１ｂから露出している。また、露出部１１ｃ及び露出部１１ｄは、右側面２１ｃから露出している。そして、露出部１１ｅ及び露出部１１ｆは、左側面２１ｄから露出している。
【００３１】
また、図８に示されるように、露出部１１ａと露出部１１ｂの間には、外側（上方向）に突出した凸部２４が形成される。
この凸部２４は、露出部１１ａと露出部１１ｂよりも外側まで突出している。すなわち、露出部１１ａと露出部１１ｂは、凸部２４よりも内側に位置している。
換言すれば、図８に示すように、凸部２４は、ホルダ２の正面視における最外周部３０に位置している。この最外周部３０とは、ホルダ２の正面視における外接矩形に相当する。
【００３２】
また、露出部１１ａの左側には、外側（左方向）に突出した凸部２３が形成される。同様に、露出部１１ｂの右側には、外側（右方向）に突出した凸部２３が形成される。
この凸部２３も凸部２４と同様にホルダ２の最外周部３０に位置している。
すなわち、露出部１１ａ及び露出部１１ｂは、最外周部３０より内側に位置していることとなる。このように、露出部１１ａと露出部１１ｂは、隣接して設けられた凸部２３及び凸部２４が障壁となることにより、外部の物体に接触する可能性が低減する。そのため、例えば、露出部１１ａと露出部１１ｂに金属等の導体が接触することによる短絡が発生するリスクを低減できる。
【００３３】
このように、凸部２３及び凸部２４は、露出部１１ａ及び露出部１１ｂを保護する保護部として機能する。ここで、上記の「保護する」ことは、露出部１１ａ及び露出部１１ｂに対して、外部の物体が接触する可能性を低減させること、衝撃を和らげること、短絡を防止すること等の効果を発揮する作用である。
【００３４】
また、露出部１１ｃは、右側面２１ｃに形成された凹部２５から露出している。換言すれば、露出部１１ｃは右側面２１ｃに形成された凹部２５に配置されている。具体的には、露出部１１ｃは、凹部２５の底部から露出した状態で配置される。
【００３５】
凹部２５は、右側面２１ｃの基準面（係合爪２８が形成される面）よりも一段内側に凹んだ部分である。そして、露出部１１ｃの先端部は、最外周部３０よりも内側に位置している。
そして、露出部１１ｃは凹部２５に配置されていることで、凹部２５の両側の壁により、露出部１１ｃが保護される。この凹部２５の両側の壁とは、凹部２５の底部から照明装置１の外側に向けて立ち上がる部分である。
さらに、凹部２５に近接して凸部２３が形成されていることで、より露出部１１ｃを保護することができる。
なお、凹部２５と、凸部２３の間には段差部２９が形成されている。そして、凸部２３に隣接する段差部２９は凸部２３よりも内側であり、且つ露出部１１ｃよりも外側に位置する。
【００３６】
このように、露出部１１ｃを凹部２５に配置したことにより、露出部１１ｃが外部の物体に接触する可能性を低減させることができる。そのため、露出部１１ｃに金属導体が接触することによる短絡が発生するリスクを低減できる。
すなわち、凹部２５は、露出部１１ｃを保護する保護部として機能することとなる。
【００３７】
また、露出部１１ｄは、右側面２１ｃに形成された凹部２６から露出している。換言すれば、露出部１１ｄは、凹部２６に配置されている。具体的には、露出部１１ｄは、凹部２６の底部から露出した状態で配置される。
【００３８】
凹部２６は、右側面２１ｃの基準面（係合爪２８が形成される面）よりも一段内側に凹んだ部分である。そして、露出部１１ｄの先端部は、最外周部３０よりも内側に位置している。
このように、露出部１１ｄを凹部２６に配置されていることで、凹部２６の両側の壁により、露出部１１ｄが保護される。この凹部２６の両側の壁とは、凹部２６の底部から照明装置１の外側に向けて立ち上がる部分である。
【００３９】
すなわち、露出部１１ｄを凹部２６に配置したことにより、露出部１１ｄが外部の物体に接触する可能性を低減させることができる。そのため、露出部１１ｄに金属導体が接触することによる短絡が発生するリスクを低減できる。
すなわち、凹部２６は、露出部１１ｄを保護する保護部として機能することとなる。
【００４０】
また、露出部１１ｄは、係合爪２８と、ホルダ２の端子収容部２ｂとの間に設けられる。係合爪２８と、端子収容部２ｂの外側端部は、露出部１１ｄよりも外側に位置しているため、上記の配置により露出部１１ｄを保護することができる。
【００４１】
なお、左側面２１ｄの構成は、右側面２１ｃと左右対称であり実質的に同一であるため、説明を省略する。
【００４２】
また、導電性部材１０のうちホルダ２の正面２１ａから露出する部分は、電極パッド１２となる。そして、この電極パッド１２には発光素子７等の電子素子がはんだ付けにより取り付けられる。
すなわち、ホルダ２の正面２１ａに配置された電極パッド１２にはんだペーストを塗布し、その後発光素子７等の電子素子を配置した上で、リフロー炉で加熱する。これにより、電極パッド１２に発光素子７等の電子素子を取り付けることができる。
上記のリフロー工程を実行するために、ホルダ２の正面２１ａは段差のない平坦な面となっている。
なお、上記の発光素子７には、ＬＥＤ、有機ＥＬ光源を用いることが小型化、低消費電力、及び低発熱の観点で好適であるが、蛍光灯等の他の形態の発光装置を用いてもよい。
【００４３】
また、ホルダ２の右側面２１ｃと左側面２１ｄにはそれぞれ、外側に突出した係合爪２８が形成される。この係合爪２８は、カバー部材５の係合部５６に係合する部分（係合部）である。
右側面２１ｃにおいては、係合爪２８は、露出部１１ｃと露出部１１ｄの間に形成される。
そして、左側面２１ｄにおいては、係合爪２８は、露出部１１ｅと露出部１１ｆの間に形成される。
【００４４】
次に、図１乃至図５を参照しながら、カバー部材５の構成及びカバー部材５の本体部３への取り付け方法について説明する。
【００４５】
カバー部材５は、主な構成として正面部５１、上面部５３、左右の側面部５４を備える。
【００４６】
正面部５１は、カバー部材５の正面を構成し、ホルダ２の正面２１ａに対向する部分である。そして、正面部５１は、ホルダ２の正面２１ａを覆うサイズに構成される。なお、ホルダ２の正面２１ａは、発光素子７等の電子素子が実装される実装面である。
【００４７】
正面部５１には、レンズ部５２が形成される。このレンズ部５２は、発光素子７から遠ざかる方向に膨らんだ湾曲形状に形成され、発光素子７から入射される光を透過させる際に屈折させる。
なお、レンズ部５２は、凸レンズ、凹レンズのいずれであってもよい。例えば、レンズ部５２を凸レンズとした場合には、レンズ部５２を透過した光は収束し、集光された光が外部に出射される。一方で、レンズ部５２に凹レンズを用いた場合には、レンズ部５２を透過した光は拡散しながら外部に出射されることとなる。
【００４８】
上面部５３は、カバー部材５の上面を構成し、ホルダ２の上面２１ｂに対向する面となる。具体的には、上面部５３は、略平板形状に形成される。
【００４９】
側面部５４は、カバー部材５の側面を構成する。なお、左右の側面部５４は左右対称に形成され、実質的に同一の構成である。そのため、以下では、右側の側面部５４について説明する。
【００５０】
右側の側面部５４は、正面部５１及び上面部５３と連結し、ホルダ２の右側面２１ｃと対向する面となる。具体的には、図１に示されるように、右側の側面部５４には、突起部５５、係合部５６、ガイド部５７が形成される。
【００５１】
突起部５５は、例えば係合爪であり、照明装置１を取り付ける対象となる取付対象体に固定するための固定部として用いられる。
【００５２】
係合部５６は、ホルダ２の右側面２１ｃに形成された係合爪２８と係合する部分である。具体的には、係合部５６は、矩形状の穴であり、係合爪２８が係合部５６に係止されることで、カバー部材５がホルダ２に対して固定される。
【００５３】
係合部５６は、カバー部材５のホルダ２に対する取付方向の動きを規制する。ここで、上記の「取付方向」とは、カバー部材５をホルダ２に取り付ける際に、カバー部材５を移動させる方向である。換言すれば、正面部５１の法線方向であって、レンズ部５２の突出方向と反対側に向かう方向が、上記の「取付方向」となる。具体的には、図１における前方向が上記の「取付方向」に相当する。
【００５４】
ガイド部５７は、カバー部材５をホルダ２の所定位置に取り付けるための機構である。ここで、上記の所定位置とは、例えば、カバー部材５のレンズ部５２のレンズ中心５２ａと、ホルダ２に取り付けられた発光素子７の光軸とが略一致する位置である。
【００５５】
ガイド部５７は、カバー部材５をホルダ２に取り付ける取付方向に沿って形成される。具体的には、図５に示されるように、ガイド部５７は、取付方向に延びる略矩形状のスリットである。
ここで、ガイド部５７において取付方向に対し前側の端部である第１端部５７ａは、テーパー状に切り欠かれた開口部である。
そして、ガイド部５７において取付方向に対し後側の端部である第２端部５７ｂは、閉じている。すなわち、ガイド部５７の第２端部５７ｂは、正面部５１までは達しない位置に形成される。より具体的には、第２端部５７ｂは、側面部５４の前後方向の略中央位置に形成される。
【００５６】
ここで、ガイド部５７のスリット幅（上下方向の幅）は、凸部２３の幅（上下方向の幅）よりも僅かに広くなっている。そのため、カバー部材５をホルダ２に取り付ける際に、ガイド部５７は、ホルダ２の凸部２３が取付方向に沿って摺動するスライド溝として機能する。換言すれば、ホルダ２の凸部２３は、ガイド部５７（スリット）に沿って摺動する摺動部として機能する。
【００５７】
また、ガイド部５７は、カバー部材５のホルダ２に対する取付方向と垂直な方向（ここでは上下方向）の動きを規制する。すなわち、凸部２３がガイド部５７に入り込んでいる場合では、凸部２３の上下方向の動きがガイド部５７により規制される。これにより、カバー部材５をホルダ２に取り付けている間から取り付けが完了した後のいずれにおいても、カバー部材５がホルダ２に対して上下方向に位置ずれすることを抑制することができる。
【００５８】
次に、ガイド部５７と係合部５６の位置関係について説明する。
ガイド部５７と係合部５６は、側面部５４において、取付方向と垂直な方向に並んで設けられる。
すなわち、ガイド部５７の少なくとも一部は、係合部５６に対し取付方向の前方にある。一方で、ガイド部５７の少なくとも一部は、係合部５６に対し取付方向の前方にある。
具体的には、図５に示されるように、ガイド部５７の第１端部５７ａは、係合部５６よりも取付方向の前方に位置する。そして、ガイド部５７の第２端部５７ｂは、係合部５６よりも取付方向の後方に位置する。
【００５９】
次に、ガイド部５７、係合部５６とレンズ部５２の位置関係について説明する。
図２に示されるように、レンズ部５２のレンズ中心５２ａは、発光素子７が取り付けられる正面２１ａを正面とした正面視において、左右の係合部５６と左右のガイド部５７により囲まれる領域Ａ１の中に含まれる。
このように、左右の係合部５６と左右のガイド部５７により、レンズ部５２のレンズ中心５２ａを囲むようにすることで、カバー部材５のレンズ部５２と、ホルダ２に取り付けられた発光素子７との位置ずれを抑制することができる。
【００６０】
［照明装置１の取り付け例］
ここで、図１２を参照しながら、照明装置１を取り付け例について説明する。図１２には、照明装置１を取り付けたドアライニングＤを示した。
図１２に示されるように、ドアライニングＤは、上部部品であるドアアームレストＤ１と、下部部品であるロア部Ｄ２を備える。
ドアアームレストＤ１は、車両の前後方向（進行方向）に沿って設けられている。また、ロア部Ｄ２は、物品を収容するドアポケットＤ３を有する。
ドアポケットＤ３の上部には、照明装置１が取り付けられる。この照明装置１のレンズ部５２からの照射光は、ドアポケットＤ３に形成された照射用孔部Ｈを通じて、車両の座席の下方を照らす。
なお、照明装置１は、ドアライニングＤに対し、複数設けられていてもよい。例えば、車両の前後方向に沿って複数の照明装置１を一列に並べて配置することとしてよい。この場合、一列に並べた照明装置１を順次光らせる等により、各種の発光演出が可能となる。
【００６１】
［第２実施形態］
次に、図１３乃至図１５を参照しながら、本発明の第２実施形態に係る照明装置１Ａについて説明する。図１３乃至図１５の各図の概要は以下の通りである。
図１３は、第２実施形態に係る照明装置１Ａの正面図である。
図１４は、第２実施形態に係る照明装置１Ａの背面図である。
図１５は、第２実施形態に係る照明装置１Ａの上面図である。
【００６２】
第２の実施形態に係る照明装置１Ａは、第１の実施形態に係る照明装置１とは、ホルダ２の凸部２３と、カバー部材５のガイド部５７の構成が相違し、他の点では共通している。
以下では、第２の実施形態に係る照明装置１Ａに関する、第１の実施形態に係る照明装置１からの相違点について説明する。
【００６３】
図１３乃至図１５に示されるように、照明装置１Ａでは、ホルダ２の凸部２３が、ホルダ２の上面２１ｂに設けられている。具体的には、凸部２３は、ホルダ２の上面２１ｂの中央部に形成されている。
【００６４】
そして、照明装置１Ａでは、カバー部材５のガイド部５７が、カバー部材５の上面部５３に設けられている。具体的には、ガイド部５７は、上面部５３の中央部に形成されている。
なお、凸部２３とガイド部５７の形状は、第１の実施形態と同じとしてよい。
【００６５】
第２実施形態においても、図１３に示されるように、レンズ部５２のレンズ中心５２ａは、発光素子７が取り付けられる正面２１ａを正面とした正面視において、左右の係合部５６と上方のガイド部５７により囲まれる領域Ａ２の中に含まれる。
このように、左右の係合部５６と上方のガイド部５７により、レンズ部５２のレンズ中心５２ａを囲むようにすることで、カバー部材５のレンズ部５２と、ホルダ２に取り付けられた発光素子７との位置ずれを抑制することができる。
【００６６】
［第３実施形態］
次に、図１６及び図１７を参照しながら、本発明の第３実施形態に係る照明装置１Ｂについて説明する。図１６及び図１７の各図の概要は以下の通りである。
図１６は、第３実施形態に係る照明装置１Ｂの正面図である。
図１７は、第３実施形態に係る照明装置１Ｂの背面図である。
【００６７】
第３実施形態に係る照明装置１Ｂは、第１実施形態に係る照明装置１の凸部２３及びスリット状のガイド部５７に代えて、溝部３１及び凸部６０を採用した点で相違し、他の点では共通している。
以下では、第３実施形態に係る照明装置１Ｂに関する、第１の実施形態に係る照明装置１からの相違点について説明する。
【００６８】
図１６及び図１７に示されるように、照明装置１Ｂでは、カバー部材５に凸部６０を形成し、ホルダ２に凸部６０が係合する溝部３１を設ける。そして、凸部６０が溝部３１に沿ってスライドする。この場合、凸部６０が「ガイド部」として機能する。
【００６９】
［第４実施形態］
次に、図１８及び図１９を参照しながら、本発明の第４実施形態に係る照明装置１Ｃについて説明する。図１８及び図１９の各図の概要は以下の通りである。
図１８は、第４実施形態に係る照明装置１Ｃの正面図である。
図１９は、第４実施形態に係る照明装置１Ｃの背面図である。
【００７０】
第４実施形態に係る照明装置１Ｃは、第１実施形態に係る照明装置１の凸部２３及びスリット状のガイド部５７に代えて、第１段形状部６１及び第２段形状部３２を採用した点で相違し、他の点では共通している。
以下では、第４実施形態に係る照明装置１Ｃに関し、第１の実施形態に係る照明装置１からの相違点について説明する。
【００７１】
図１８及び図１９に示されるように、カバー部材５は、ガイド部として第１段形状部６１を有する。そして、ホルダ２は、第１段形状部６１と係合する第２段形状部３２を有する。
この第１段形状部６１及び第２段形状部３２はそれぞれ二段以上の段差を有する。そして、カバー部材５の第１段形状部６１は、ホルダ２の第２段形状部３２に沿ってスライドする。すなわち、第１段形状部６１は、第２段形状部３２に沿って取付方向の移動を案内する「ガイド部」として機能する。
【００７２】
［第５実施形態］
次に、図２０を参照しながら、本発明の第５実施形態に係る照明装置１Ｄについて説明する。図２０は、第５実施形態に係る照明装置１Ｄの背面図である。
【００７３】
第５実施形態に係る照明装置１Ｄは、第１実施形態に係る照明装置１の上面２１ｂ、右側面２１ｃ、左側面２１ｄに壁部１３ａ〜壁部１３ｆが形成されている点で相違し、他の点では共通している。
以下では、第５実施形態に係る照明装置１Ｄに関し、第１の実施形態に係る照明装置１からの相違点について説明する。
【００７４】
図３に示されるように、照明装置１では、露出部１１ａ〜露出部１１ｆは、背面側からは露出している。すなわち、照明装置１では、露出部１１ａ〜露出部１１ｆに対して、裏面側から導体が接触可能な隙間が形成されている。
【００７５】
これに対し、照明装置１Ｄでは、図２０に示されるように、照明装置１Ｄのホルダ２は、露出部１１ａ〜露出部１１ｆよりも取付方向の前方側に、壁部１３ａ〜壁部１３ｆが形成されている。
【００７６】
具体的には、ホルダ２の上面２１ｂには、壁部１３ａ及び壁部１３ｂが設けられる。
壁部１３ａは、露出部１１ａに対して取付方向の前方側に形成された、上方に突き出た部分である。
壁部１３ｂは、露出部１１ｂに対して取付方向の前方側に形成された、上方に突き出た部分である。
【００７７】
また、ホルダ２の右側面２１ｃには、壁部１３ｃ及び壁部１３ｄが設けられる。
壁部１３ｃは、露出部１１ｃに対して取付方向の前方側に形成された、外側に突き出た部分である。
壁部１３ｄは、露出部１１ｄに対して取付方向の前方側に形成された、外側に突き出た部分である。
【００７８】
また、ホルダ２の左側面２１ｄには、壁部１３ｅ及び壁部１３ｆが設けられる。
壁部１３ｅは、露出部１１ｅに対して取付方向の前方側に形成された、外側に突き出た部分である。
壁部１３ｆは、露出部１１ｆに対して取付方向の前方側に形成された、外側に突出した部分である。
【００７９】
以上のように、第５実施形態に係る照明装置１Ｄは、壁部１３ａ〜壁部１３ｆを有することにより、照明装置１Ｄの裏面側において、露出部１１ａ〜露出部１１ｆを保護するとともに、カバー部材５とホルダ２の隙間を狭くすることができる。
これにより、照明装置１Ｄの裏面側から針金のような導体が照明装置１Ｄ内に侵入しにくくなるため、そうした導体が露出部１１ａ〜露出部１１ｆに接触することによる短絡の発生を防止できる。
【００８０】
［第６実施形態］
次に、図２０を参照しながら、本発明の第６実施形態に係る照明装置に備えられるホルダ２の構成について説明する。
図２１は、露出部に絶縁膜７０を成膜したホルダ２の正面図である。
【００８１】
第６実施形態に係る照明装置のホルダ２は、第１実施形態に係る照明装置１のホルダ２の上面２１ｂ、右側面２１ｃ、左側面２１ｄから段差構造を無くし、露出部１１ａ〜露出部１１ｆに絶縁膜７０を成膜した点で相違し、他の点では共通している。
【００８２】
絶縁膜７０には、例えば、シリコーン、ウレタン、ポリエステル、エポキシポリエステル、ポリフェニレンサルファイド、塩ビ等の材料を用いることができる。
このように、露出部１１ａ〜露出部１１ｆを絶縁膜７０により被覆することにより、露出部１１ａ〜露出部１１ｆを保護することができる。そのため、例えば、露出部１１ａ〜露出部１１ｆに金属導体が接触することによる短絡が発生するリスクを低減できる。
なお、第６実施形態では、絶縁膜７０がホルダ２に備えられる「保護部」として機能する。
【００８３】
本発明は上記の実施形態に限定されるものではない。例えば、凸部２３とガイド部５７の組は２つに限らず、３つ以上形成されてもよい。
【００８４】
［効果］
上記の照明装置１、照明装置１Ａ、照明装置１Ｂ、照明装置１Ｃ及び照明装置１Ｄ（以下、照明装置１等）によれば、カバー部材５をホルダ２に取り付ける際に、カバー部材５をホルダ２の所定位置に位置決めしながらカバー部材５をホルダ２に係合させることができる。
これにより、カバー部材５をホルダ２の所定位置に取り付けることが容易となる。すなわち、上記の照明装置によれば、カバー部材５をホルダ２に取り付ける際の位置ずれを抑制することができる。
【００８５】
上記の照明装置１等において、ホルダ２は、ガイド部５７に沿って摺動する摺動部を有することで、摺動部をガイド部５７に沿って摺動させながらカバー部材５をホルダ２に取り付けることができる。これにより、カバー部材５をホルダ２に取り付けやすくなる。
【００８６】
上記の実施形態に係る照明装置１等において、摺動部は、凸部２３であり、ガイド部５７は、取付方向に延びるスリットであり、凸部２３は、スリットに沿って摺動する。
このように、ホルダ２の凸部２３を、カバー部材５のスリットに沿って摺動させることで、カバー部材５をホルダ２の所定位置に係合させることができる。これにより、カバー部材５をホルダ２の所定位置に摺動させながら取り付ける機構を簡単な構造で実現できる。そして、構造が簡単であるため、設計、製造の点で有利となる。
また、カバー部材５にスリットを形成することで、カバー部材５が弾性変形しやすくなる。これにより、カバー部材５をホルダ２に嵌めやすくなる。
【００８７】
上記の照明装置１等において、スリット（ガイド部５７）の取付方向における前側の第１端部５７ａは開口している。
こうすることで、スリットの第１端部５７ａから、ホルダ２の凸部２３を入れやすくなる。これにより、カバー部材５をホルダ２に取り付けやすくなる。
【００８８】
上記の照明装置１等において、カバー部材５は、ガイド部５７と係合部５６が形成された側面部５４を有する。
こうすることで、カバー部材５の側面部５４にガイド部５７と係合部５６の両方が形成されているため、ガイド部５７と係合部５６の両者を同時に視認できる。これにより、ガイド部５７と係合部５６におけるカバー部材５とホルダ２の係合状態を確認しやすくなる。
【００８９】
上記の照明装置１等において、ガイド部５７と係合部５６は、側面部５４において、取付方向と垂直な方向に並んで設けられる。
こうすることで、カバー部材５とホルダ２について、取付方向と垂直な方向に位置ずれすることを抑制できる。
【００９０】
上記の照明装置１等において、係合部５６は、カバー部材５のホルダ２に対する取付方向の動きを規制し、ガイド部５７は、カバー部材５のホルダ２に対する取付方向と垂直な方向の動きを規制する。
こうすることで、カバー部材５とホルダ２が取付方向に関しずれてしまうことも、取付方向と垂直な方向に関しずれてしまうことも抑制できる。これにより、カバー部材５のガタツキを抑制できる。
【００９１】
上記の照明装置１等において、レンズ部５２の中心は、発光素子７が取り付けられる面を正面とした正面視において、複数の係合部５６とガイド部５７により囲まれる領域の中に含まれる。
こうすることで、カバー部材５のレンズ部５２の中心が、係合部５６とガイド部５７に囲まれた状態で、カバー部材５がホルダ２に固定される。レンズ部５２の周囲が固定されることで、レンズ部５２がホルダ２に取り付けられた発光素子７に対して位置ずれすることを抑制できる。そのため、照明装置の光学系の精度を向上できる。
【００９２】
上記の照明装置１Ｂにおいて、ガイド部は、凸部６０であり、ホルダ２は、凸部６０が係合する溝部３１を有する。
こうすることで、ガイド部の凸部６０をホルダ２の溝部３１に沿って摺動させながらカバー部材５をホルダ２に取り付けることができる。これにより、ガイド部の機構を簡単なものとすることができる。そして、構造が簡単であるため、設計、製造の点で有利となる。
【００９３】
上記の照明装置１Ｃにおいて、ガイド部は、第１段形状部６１を有し、ホルダ２は、第１段形状部６１と係合する第２段形状部３２を有し、第１段形状部６１は、第２段形状部３２に沿って取付方向の移動を案内する。
こうすることで、第１段形状部６１と第２段形状部３２とを突き当てた状態でカバー部材５をホルダ２に対してスライドさせることができる。これにより、カバー部材５をホルダ２に取り付ける際の位置ずれを抑制することができる。
【００９４】
上記の照明装置１等によれば、ホルダ２において発光素子７を取り付ける面（正面２１ａ）以外の面（上面２１ｂ、右側面２１ｃ、左側面２１ｄ）から露出する導電性部材１０の露出部１１ａ〜露出部１１ｆを保護することができる。これにより、導電性部材１０の露出部１１ａ〜露出部１１ｆが他の金属部材と接触して短絡を引き起こすことを防止できる。
【００９５】
上記の照明装置１等において、露出部１１ａ〜露出部１１ｆを最外周部３０より内側に配置したことで、露出部１１ａ〜露出部１１ｆを最外周部３０により保護することができる。すなわち、最外周部３０が露出部１１ａ〜露出部１１ｆよりも先に他の金属部材等と接触するため、露出部１１ａ〜露出部１１ｆに他の金属部材等が接触することを防止できる。
【００９６】
上記の照明装置１等において、保護部は、ホルダ２の第２の面（上面２１ｂ、右側面２１ｃ、左側面２１ｄ）に形成された凸部（凸部２３、凸部２４）であり、凸部は、露出部１１ａ〜露出部１１ｆよりも外側に突出している。
こうすることで、露出部１１ａ〜露出部１１ｆを凸部（凸部２３、凸部２４）により保護することができる。すなわち、凸部（凸部２３、凸部２４）が露出部１１ａ〜露出部１１ｆよりも先に他の金属部材等と接触することで、露出部１１ａ〜露出部１１ｆに他の金属部材等が接触することを防止できる。
【００９７】
上記の照明装置１等において、導電性部材１０は、ホルダ２の第２の面（上面２１ｂ、右側面２１ｃ、左側面２１ｄ）に複数の露出部（露出部１１ａ〜露出部１１ｆ）を有し、凸部（凸部２３、凸部２４）は、複数の露出部の間に配置される。
こうすることで、１つの凸部により複数の露出部を保護することができる。これにより、ホルダの第２の面に設ける凸部の数を低減することができる。また、ホルダの第２の面の形状を簡単な構造にできる。そして、構造が簡単であるため、設計、製造の点で有利となる。
【００９８】
上記の照明装置１等において、複数の凸部（凸部２３、凸部２４）を有し、複数の凸部は、露出部（露出部１１ａ、露出部１１ｂ）を挟む位置に設けられると好適である。
こうすることで、露出部の両側からの部材の衝突を抑制することができる。これにより、露出部をより確実に保護することができる。
【００９９】
上記の照明装置１等において、保護部は、ホルダ２の第２の面（上面２１ｂ、右側面２１ｃ、左側面２１ｄ）に形成された凹部（凹部２５、凹部２６）であり、露出部（露出部１１ｃ、露出部１１ｄ、露出部１１ｅ、露出部１１ｆ）は、凹部に配置される。
このように、ホルダ２の第２の面における凹部に露出部を配置することで、露出部を第２の面よりも内側に配置することができる。これにより、露出部を凹部により保護することができる。そのため、ホルダ２の形状を小型化しやすくなる。
【０１００】
上記の照明装置１等において、凹部（凹部２５）に隣接する段差部２９は、ホルダ２の第２の面の最外周部３０よりも内側であり、且つ露出部（露出部１１ｃ）よりも外側にある。
このように、露出部の周囲に段差を設けることで、露出部に外部から部材が衝突しにくくなる。また、凹部の周囲の強度を高めることができる。
【０１０１】
上記の照明装置１等において、ホルダ２に取り付けられ、発光素子７と露出部（露出部１１ａ〜露出部１１ｆ）をカバーするカバー部材５と、を備える。
こうすることで、露出部を保護部とカバー部材５の両者で保護することができる。また、ホルダ２にカバー部材５を取り付けている場合と、取り付けていない場合の両方において、露出部を保護することができる。
【０１０２】
上記の照明装置１等において、保護部は、露出部（露出部１１ａ〜露出部１１ｆ）を被覆する絶縁膜７０である。
こうすることで、露出部の周囲に凹凸を設けない場合にも露出部を保護できる。これにより、ホルダ２の形状を簡単な構造にできる。
【０１０３】
上記の照明装置１等において、第２の面は、第１の面（正面２１ａ）を正面とした場合の左側面２１ｄ及び右側面２１ｃを含む。そして、左側面２１ｄに形成される露出部（露出部１１ｅ、露出部１１ｆ）と、右側面２１ｃに形成される露出部（露出部１１ｃ、露出部１１ｄ）は、左右対称の位置に配される。
こうすることで、左右対象の構造により露出部を保護することができる。構造を簡単にすることができるため、設計、製造の点で有利となる。
【０１０４】
上記の照明装置１等において、第２の面は、第１の面（正面２１ａ）を正面とした場合の上面２１ｂを含み、露出部（露出部１１ａ、露出部１１ｂ）は、上面２１ｂに形成される。
こうすることで、上面２１ｂに形成される露出部（露出部１１ａ、露出部１１ｂ）を保護することができる。
【０１０５】
上記の照明装置１等において、ホルダ２に取り付けられ、発光素子７をカバーするカバー部材５を備える。そして、ホルダ２は、第２の面にカバー部材５と係合する係合部（係合爪２８）と、導電性部材１０の接続端子を収容する端子収容部２ｂと、を有する。そして、露出部（露出部１１ｄ、露出部１１ｆ）は、係合部（係合爪２８）と、端子収容部２ｂとの間に配置される。
こうすることで、係合部（係合爪２８）と端子収容部２ｂにより（露出部１１ｄ、露出部１１ｆ）を更に保護することができる。
【符号の説明】
【０１０６】
１  照明装置
１Ａ  照明装置
１Ｂ  照明装置
１Ｃ  照明装置
１Ｄ  照明装置
２  ホルダ
２ａ  実装部
２ｂ  端子収容部
３  本体部
５  カバー部材
７  発光素子
１０  導電性部材
１１  接続部
１１ａ  露出部
１１ｂ  露出部
１１ｃ  露出部
１１ｄ  露出部
１１ｅ  露出部
１１ｆ  露出部
１２  電極パッド
１３ａ  壁部
１３ｂ  壁部
１３ｃ  壁部
１３ｄ  壁部
１３ｅ  壁部
１３ｆ  壁部
２１ａ  正面（第１の面）
２１ｂ  上面（第２の面）
２１ｃ  右側面（第２の面）
２１ｄ  左側面（第２の面）
２３  凸部（摺動部、保護部）
２４  凸部（保護部）
２５  凹部（保護部）
２６  凹部（保護部）
２８  係合爪（係合部）
２９  段差部
３０  最外周部
３１  溝部
３２  第２段形状部
５１  正面部
５２  レンズ部
５２ａ  レンズ中心
５３  上面部
５４  側面部
５５  突起部
５６  係合部
５７  ガイド部
５７ａ  第１端部
５７ｂ  第２端部
６０  凸部
６１  第１段形状部
７０  絶縁膜（保護部）
Ａ１  領域
Ａ２  領域
Ｄ  ドアライニング
Ｄ１  ドアアームレスト
Ｄ２  ロア部
Ｄ３  ドアポケット
Ｈ  照射用孔部
【図１】
2019021582.tif 000003
【図２】
2019021582.tif 000004
【図３】
2019021582.tif 000005
【図４】
2019021582.tif 000006
【図５】
2019021582.tif 000007
【図６】
2019021582.tif 000008
【図７】
2019021582.tif 000009
【図８】
2019021582.tif 000010
【図９】
2019021582.tif 000011
【図１０】
2019021582.tif 000012
【図１１】
2019021582.tif 000013
【図１２】
2019021582.tif 000014
【図１３】
2019021582.tif 000015
【図１４】
2019021582.tif 000016
【図１５】
2019021582.tif 000017
【図１６】
2019021582.tif 000018
【図１７】
2019021582.tif 000019
【図１８】
2019021582.tif 000020
【図１９】
2019021582.tif 000021
【図２０】
2019021582.tif 000022
【図２１】
2019021582.tif 000023